(57)【要約】【課題】  設定画像が長時間投写され得る状況であっても焼き付きの発生を防止することが可能なプロジェクター等を提供すること。【解決手段】  プロジェクター１００が、投写中の画像を示す画像データ１２２を第１の設定画像データ１２５として記憶部１２０に記憶する記憶制御部１４０と、設定画像の投写指示を受け付ける受付部１１０と、投写指示に応じて、画像の明るさの範囲を、焼き付きを発生させない範囲に制限する明るさ補正用データに基づき、第１の設定画像データ１２５に対して明るさ補正を行うことにより、第２の設定画像データを生成する補正部１６０と、第２の設定画像データに基づき、設定画像を投写する投写部１９０を含んで構成される。【選択図】  図１
2011137966.tif 000002
【特許請求の範囲】
【請求項１】
投写中の画像を示す画像データを第１の設定画像データとして記憶部に記憶する記憶制御部と、
設定画像の投写指示を受け付ける受付部と、
前記投写指示に応じて、画像の明るさの範囲を、焼き付きを発生させない範囲に制限する明るさ補正用データに基づき、前記第１の設定画像データに対して明るさ補正を行うことにより、第２の設定画像データを生成する補正部と、
前記第２の設定画像データに基づき、前記設定画像を投写する投写部と、
を含むプロジェクター。
【請求項２】
投写中の画像を示す画像データを第１の設定画像データとして記憶部に記憶する記憶制御部と、
設定画像の投写指示を受け付ける受付部と、
前記第１の設定画像データに基づき、前記設定画像が焼き付き発生条件を満たしているかどうかを判定する判定部と、
補正部と、
前記投写指示に応じて、前記設定画像を投写する投写部と、
を含み、
前記設定画像が前記焼き付き発生条件を満たしている場合、
前記補正部は、画像の明るさの範囲を、焼き付きを発生させない範囲に制限する明るさ補正用データに基づき、前記第１の設定画像データに対して明るさ補正を行うことにより、第２の設定画像データを生成し、
前記投写部は、前記第２の設定画像データに基づき、前記設定画像を投写し、
前記設定画像が前記焼き付き発生条件を満たしていない場合、
前記補正部は、前記明るさ補正を行わず、
前記投写部は、前記第１の設定画像データに基づき、前記設定画像を投写する、
プロジェクター。
【請求項３】
請求項１、２のいずれかに記載のプロジェクターにおいて、
前記受付部は、前記投写中の画像の記憶指示を受け付け、
前記記憶制御部は、前記記憶指示に応じて前記画像データを前記第１の設定画像データとして前記記憶部に記憶する、
プロジェクター。
【請求項４】
請求項１〜３のいずれかに記載のプロジェクターにおいて、
前記明るさ補正用データを生成する生成部を含み、
前記受付部は、前記焼き付きを発生させない範囲の指定指示を受け付け、
前記生成部は、前記指定指示に応じて前記明るさ補正用データを生成する、
プロジェクター。
【請求項５】
画像の明るさの範囲を、焼き付きを発生させない範囲に制限する明るさ補正用データに基づき、投写中の画像を示す画像データに対して明るさ補正を行うことにより、第２の設定画像データを生成する補正部と、
前記第２の設定画像データを記憶部に記憶する記憶制御部と、
設定画像の投写指示を受け付ける受付部と、
前記投写指示に応じて、前記第２の設定画像データに基づき、前記設定画像を投写する投写部と、
を含むプロジェクター。
【請求項６】
投写中の画像を示す画像データを第１の設定画像データとして記憶部に記憶する記憶制御部と、
前記第１の設定画像データに基づき、前記画像が焼き付き発生条件を満たしているかどうかを判定する判定部と、
補正部と、
設定画像の投写指示を受け付ける受付部と、
前記投写指示に応じて、前記設定画像を投写する投写部と、
を含み、
前記画像が前記焼き付き発生条件を満たしている場合、
前記補正部は、前記画像の明るさの範囲を、焼き付きを発生させない範囲に制限する明るさ補正用データに基づき、前記第１の設定画像データに対して明るさ補正を行うことにより、第２の設定画像データを生成し、
前記記憶制御部は、前記第２の設定画像データを前記記憶部に記憶し、
前記投写部は、前記第２の設定画像データに基づき、前記設定画像を投写し、
前記画像が前記焼き付き発生条件を満たしていない場合、
前記補正部は、前記明るさ補正を行わず、
前記投写部は、前記第１の設定画像データに基づき、前記設定画像を投写する、
プロジェクター。
【請求項７】
プロジェクターにおける画像調整方法であって、
前記プロジェクターは、
投写中の画像を示す画像データを第１の設定画像データとして記憶部に記憶し、
設定画像の投写指示を受け付け、
前記投写指示に応じて、画像の明るさの範囲を、焼き付きを発生させない範囲に制限する明るさ補正用データに基づき、前記第１の設定画像データに対して明るさ補正を行うことにより、第２の設定画像データを生成し、
前記第２の設定画像データに基づき、前記設定画像を投写する、
画像調整方法。
【請求項８】
プロジェクターにおける画像調整方法であって、
前記プロジェクターは、
投写中の画像を示す画像データを第１の設定画像データとして記憶部に記憶し、
設定画像の投写指示を受け付け、
前記第１の設定画像データに基づき、前記設定画像が焼き付き発生条件を満たしているかどうかを判定し、
前記設定画像が焼き付き発生条件を満たしている場合、
画像の明るさの範囲を、焼き付きを発生させない範囲に制限する明るさ補正用データに基づき、前記第１の設定画像データに対して明るさ補正を行うことにより、第２の設定画像データを生成し、
前記第２の設定画像データに基づき、前記設定画像を投写し、
前記設定画像が前記焼き付き発生条件を満たしていない場合、
前記明るさ補正を行わず、
前記第１の設定画像データに基づき、前記設定画像を投写する、
画像調整方法。
【請求項９】
プロジェクターにおける画像調整方法であって、
前記プロジェクターは、
画像の明るさの範囲を、焼き付きを発生させない範囲に制限する明るさ補正用データに基づき、投写中の画像を示す画像データに対して明るさ補正を行うことにより、第２の設定画像データを生成し、
前記第２の設定画像データを記憶部に記憶し、
設定画像の投写指示を受け付け、
前記投写指示に応じて、前記第２の設定画像データに基づき、前記設定画像を投写する、
画像調整方法。
【請求項１０】
プロジェクターにおける画像調整方法であって、
前記プロジェクターは、
投写中の画像を示す画像データを第１の設定画像データとして記憶部に記憶し、
前記第１の設定画像データに基づき、前記画像が焼き付き発生条件を満たしているかどうかを判定し、
前記画像が前記焼き付き発生条件を満たしている場合、
前記画像の明るさの範囲を、焼き付きを発生させない範囲に制限する明るさ補正用データに基づき、前記第１の設定画像データに対して明るさ補正を行うことにより、第２の設定画像データを生成し、
前記第２の設定画像データを前記記憶部に記憶し、
投写指示に応じて、前記第２の設定画像データに基づき、前記設定画像を投写し、
前記画像が前記焼き付き発生条件を満たしていない場合、
前記明るさ補正を行わず、
前記投写指示に応じて、前記第１の設定画像データに基づき、前記設定画像を投写する、
画像調整方法。
【発明の詳細な説明】
【技術分野】
【０００１】
本発明は、プロジェクターおよび画像調整方法に関する。
【背景技術】
【０００２】
例えば、特開２００９−６９７７３号公報に記載されているように、プロジェクターは、投写指示時等にあらかじめ記憶された設定画像データに基づいてユーザーロゴ等の設定画像を投写する場合がある。例えば、プロジェクターが、設定画像を投写する場合、当該設定画像は静止画像であることが一般的であり、当該設定画像が長時間投写されることがある。
【先行技術文献】
【特許文献】
【０００３】
【特許文献１】特開２００９−６９７７３号公報
【発明の概要】
【発明が解決しようとする課題】
【０００４】
しかし、設定画像が白黒のチェッカーパターンのような画像の場合、設定画像の投写終了後に液晶パネルの電荷が戻らず、液晶パネルに色むらが発生する状態（いわゆる焼き付き）になることがあった。例えば、プロジェクターが、白黒のチェッカーパターンの設定画像を長時間投写した後にグレーの単色画像を投写すると、当該単色画像に元のチェッカーパターンが残ったまま投写されることがあった。
【０００５】
本発明にかかるいくつかの態様は、上記課題を解決することにより、設定画像が長時間投写され得る状況であっても焼き付きの発生を防止することが可能なプロジェクターおよび画像調整方法を提供するものである。
【課題を解決するための手段】
【０００６】
本発明の態様の１つであるプロジェクターは、投写中の画像を示す画像データを第１の設定画像データとして記憶部に記憶する記憶制御部と、設定画像の投写指示を受け付ける受付部と、前記投写指示に応じて、画像の明るさの範囲を、焼き付きを発生させない範囲に制限する明るさ補正用データに基づき、前記第１の設定画像データに対して明るさ補正を行うことにより、第２の設定画像データを生成する補正部と、前記第２の設定画像データに基づき、前記設定画像を投写する投写部と、を含むことを特徴とする。
【０００７】
また、本発明の態様の１つである画像調整方法は、プロジェクターにおける画像調整方法であって、前記プロジェクターは、投写中の画像を示す画像データを第１の設定画像データとして記憶部に記憶し、設定画像の投写指示を受け付け、前記投写指示に応じて、画像の明るさの範囲を、焼き付きを発生させない範囲に制限する明るさ補正用データに基づき、前記第１の設定画像データに対して明るさ補正を行うことにより、第２の設定画像データを生成し、前記第２の設定画像データに基づき、前記設定画像を投写することを特徴とする。
【０００８】
本発明によれば、プロジェクターは、設定画像の投写指示時に、設定画像の明るさの範囲を、焼き付きを発生させない範囲に制限する明るさ補正を行うことにより、設定画像が長時間投写され得る状況であっても焼き付きの発生を防止することができる。
【０００９】
また、本発明の態様の１つであるプロジェクターは、投写中の画像を示す画像データを第１の設定画像データとして記憶部に記憶する記憶制御部と、設定画像の投写指示を受け付ける受付部と、前記第１の設定画像データに基づき、前記設定画像が焼き付き発生条件を満たしているかどうかを判定する判定部と、補正部と、前記投写指示に応じて、前記設定画像を投写する投写部と、を含み、前記設定画像が前記焼き付き発生条件を満たしている場合、前記補正部は、画像の明るさの範囲を、焼き付きを発生させない範囲に制限する明るさ補正用データに基づき、前記第１の設定画像データに対して明るさ補正を行うことにより、第２の設定画像データを生成し、前記投写部は、前記第２の設定画像データに基づき、前記設定画像を投写し、前記設定画像が前記焼き付き発生条件を満たしていない場合、前記補正部は、前記明るさ補正を行わず、前記投写部は、前記第１の設定画像データに基づき、前記設定画像を投写することを特徴とする。
【００１０】
また、本発明の態様の１つである画像調整方法は、プロジェクターにおける画像調整方法であって、前記プロジェクターは、投写中の画像を示す画像データを第１の設定画像データとして記憶部に記憶し、設定画像の投写指示を受け付け、前記第１の設定画像データに基づき、前記設定画像が焼き付き発生条件を満たしているかどうかを判定し、前記設定画像が焼き付き発生条件を満たしている場合、画像の明るさの範囲を、焼き付きを発生させない範囲に制限する明るさ補正用データに基づき、前記第１の設定画像データに対して明るさ補正を行うことにより、第２の設定画像データを生成し、前記第２の設定画像データに基づき、前記設定画像を投写し、前記設定画像が前記焼き付き発生条件を満たしていない場合、前記明るさ補正を行わず、前記第１の設定画像データに基づき、前記設定画像を投写することを特徴とする。
【００１１】
本発明によれば、プロジェクターは、設定画像の投写指示時に、設定画像の明るさの範囲を、焼き付きを発生させない範囲に制限する明るさ補正を行うことにより、設定画像が長時間投写され得る状況であっても焼き付きの発生を防止することができる。また、本発明によれば、プロジェクターは、焼き付き発生条件を満たしている場合のみ明るさ補正を行うことにより、より効率的に画像の調整を行うことができる。
【００１２】
また、本発明の態様の１つであるプロジェクターは、画像の明るさの範囲を、焼き付きを発生させない範囲に制限する明るさ補正用データに基づき、投写中の画像を示す画像データに対して明るさ補正を行うことにより、第２の設定画像データを生成する補正部と、前記第２の設定画像データを記憶部に記憶する記憶制御部と、設定画像の投写指示を受け付ける受付部と、前記投写指示に応じて、前記第２の設定画像データに基づき、前記設定画像を投写する投写部と、を含むことを特徴とする。
【００１３】
また、本発明の態様の１つである画像調整方法は、プロジェクターにおける画像調整方法であって、前記プロジェクターは、画像の明るさの範囲を、焼き付きを発生させない範囲に制限する明るさ補正用データに基づき、投写中の画像を示す画像データに対して明るさ補正を行うことにより、第２の設定画像データを生成し、前記第２の設定画像データを記憶部に記憶し、設定画像の投写指示を受け付け、前記投写指示に応じて、前記第２の設定画像データに基づき、前記設定画像を投写することを特徴とする。
【００１４】
本発明によれば、プロジェクターは、設定画像データの記憶時に、設定画像の明るさの範囲を、焼き付きを発生させない範囲に制限する明るさ補正を行うことにより、設定画像が長時間投写され得る状況であっても焼き付きの発生を防止することができる。
【００１５】
また、本発明の態様の１つであるプロジェクターは、投写中の画像を示す画像データを第１の設定画像データとして記憶部に記憶する記憶制御部と、前記第１の設定画像データに基づき、前記画像が焼き付き発生条件を満たしているかどうかを判定する判定部と、補正部と、設定画像の投写指示を受け付ける受付部と、前記投写指示に応じて、前記設定画像を投写する投写部と、を含み、前記画像が前記焼き付き発生条件を満たしている場合、前記補正部は、前記画像の明るさの範囲を、焼き付きを発生させない範囲に制限する明るさ補正用データに基づき、前記第１の設定画像データに対して明るさ補正を行うことにより、第２の設定画像データを生成し、前記記憶制御部は、前記第２の設定画像データを前記記憶部に記憶し、前記投写部は、前記第２の設定画像データに基づき、前記設定画像を投写し、前記画像が前記焼き付き発生条件を満たしていない場合、前記補正部は、前記明るさ補正を行わず、前記投写部は、前記第１の設定画像データに基づき、前記設定画像を投写することを特徴とする。
【００１６】
また、本発明の態様の１つである画像調整方法は、プロジェクターにおける画像調整方法であって、前記プロジェクターは、投写中の画像を示す画像データを第１の設定画像データとして記憶部に記憶し、前記第１の設定画像データに基づき、前記画像が焼き付き発生条件を満たしているかどうかを判定し、前記画像が前記焼き付き発生条件を満たしている場合、前記画像の明るさの範囲を、焼き付きを発生させない範囲に制限する明るさ補正用データに基づき、前記第１の設定画像データに対して明るさ補正を行うことにより、第２の設定画像データを生成し、前記第２の設定画像データを前記記憶部に記憶し、投写指示に応じて、前記第２の設定画像データに基づき、前記設定画像を投写し、前記画像が前記焼き付き発生条件を満たしていない場合、前記明るさ補正を行わず、前記投写指示に応じて、前記第１の設定画像データに基づき、前記設定画像を投写することを特徴とする。
【００１７】
本発明によれば、プロジェクターは、設定画像データの記憶時に、設定画像の明るさの範囲を、焼き付きを発生させない範囲に制限する明るさ補正を行うことにより、設定画像が長時間投写され得る状況であっても焼き付きの発生を防止することができる。また、本発明によれば、プロジェクターは、焼き付き発生条件を満たしている場合のみ明るさ補正を行うことにより、より効率的に画像の調整を行うことができる。
【００１８】
また、前記受付部は、前記投写中の画像の記憶指示を受け付け、前記記憶制御部は、前記記憶指示に応じて前記画像データを前記第１の設定画像データとして前記記憶部に記憶してもよい。
【００１９】
これによれば、プロジェクターは、記憶指示に応じて投写中の画像を示す画像データを第１の設定画像データとして記憶することができるため、ユーザーは、所望の画像を設定画像として使用することができる。これにより、プロジェクターは、ユーザーの使い勝手を向上させることができる。
【００２０】
また、前記プロジェクターは、前記明るさ補正用データを生成する生成部を含み、前記受付部は、前記焼き付きを発生させない範囲の指定指示を受け付け、前記生成部は、前記指定指示に応じて前記明るさ補正用データを生成してもよい。
【００２１】
これによれば、プロジェクターは、焼き付きを発生させない範囲の指定指示に応じて明るさ補正用データを生成することができるため、ユーザーは、焼き付き防止を優先するか、設定画像の正確さを優先するか自分で選択して設定することができる。これにより、プロジェクターは、ユーザーの使い勝手を向上させることができる。
【図面の簡単な説明】
【００２２】
【図１】第１の実施例におけるプロジェクターの機能ブロック図である。
【図２】第１の実施例における記憶指示時の処理の流れを示すフローチャートである。
【図３】第１の実施例における投写指示時の処理の流れを示すフローチャートである。
【図４】第１の実施例における第１の設定画像データの輝度分布の一例を示す図である。
【図５】第１の実施例における第２の設定画像データの輝度分布の一例を示す図である。
【図６】第２の実施例におけるプロジェクターの機能ブロック図である。
【図７】第２の実施例における記憶指示時の処理の流れを示すフローチャートである。
【図８】第２の実施例における投写指示時の処理の流れを示すフローチャートである。
【図９】第３の実施例におけるプロジェクターの機能ブロック図である。
【図１０】第４の実施例におけるプロジェクターの機能ブロック図である。
【発明を実施するための形態】
【００２３】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２４】
（第１の実施例）
本実施例のプロジェクターは、記憶指示時に投写中の画像を設定画像として記憶し、設定画像の投写指示時に当該設定画像の明るさを、焼き付きが発生しない明るさに調整して投写する機能を有する。次に、このような機能を有するプロジェクターの機能ブロックについて説明する。
【００２５】
図１は、第１の実施例におけるプロジェクター１００の機能ブロック図である。プロジェクター１００は、リモコン（リモートコントローラー）や本体の操作ボタンからの種々の指示を受け付ける受付部１１０と、種々のデータを記憶する記憶部１２０と、記憶部１２０に記憶された焼き付きを発生させない範囲を示す許容範囲データ１２３に基づき、設定画像の明るさを、焼き付きを発生させない範囲に制限する明るさ補正用データを生成する生成部１３０と、記憶指示に応じて投写中の画像を示す画像データ１２２を第１の設定画像データ１２５として記憶部１２０に記憶する記憶制御部１４０を含んで構成されている。
【００２６】
また、プロジェクター１００は、投写指示に応じて、明るさ補正用データに基づき、第１の設定画像データ１２５に対して明るさ補正を行うことにより、第２の設定画像データを生成する補正部１６０と、ＰＣ（Personal Computer）等から画像信号が入力され、当該画像信号を画像データ１２２として記憶部１２０に記憶する画像入力部１７０と、第２の設定画像データに基づく設定画像等を投写する投写部１９０を含んで構成されている。
【００２７】
なお、プロジェクター１００は、以下のハードウェアを用いてこれらの各部として機能してもよい。例えば、プロジェクター１００は、受付部１１０は受光ユニット等、記憶部１２０は不揮発性メモリー、ＲＡＭ等、生成部１３０、記憶制御部１４０、補正部１６０はＣＰＵ、画像処理回路等、画像入力部１７０は信号入力端子、コンバーター等、投写部１９０はランプ、液晶パネル、液晶駆動回路、レンズ等を用いてもよい。
【００２８】
次に、プロジェクター１００における記憶指示時の処理の流れについて説明する。図２は、第１の実施例における記憶指示時の処理の流れを示すフローチャートである。
【００２９】
画像入力部１７０は、ＰＣ等から順次入力される画像信号を画像データ１２２として記憶部１２０に記憶する。投写部１９０は、補正部１６０からの画像データ１２２に基づき、画像を生成し、投写する（ステップＳ１）。
【００３０】
ユーザーは、所望の画像が投写された状態で、当該画像を設定画像として使用するため、リモコン等を操作して投写中の画像の記憶指示を行う。なお、設定画像は、例えば、地図、グラフ、罫線、チェッカーパターン、ユーザーロゴ等のプレゼンテーション時等に用いられる静止画像である。
【００３１】
記憶制御部１４０は、受付部１１０からの情報に基づき、記憶指示があったかどうかを判定し（ステップＳ２）、記憶指示があった場合、投写中の画像を示す画像データ１２２を第１の設定画像データ１２５として記憶部１２０に記憶する（ステップＳ３）。
【００３２】
プロジェクター１００は、終了指示があるかどうかを判定し（ステップＳ４）、終了指示があるまでステップＳ１〜Ｓ４の処理を繰り返し実行する。
【００３３】
次に、プロジェクター１００における設定画像の投写指示時の処理の流れについて説明する。図３は、第１の実施例における投写指示時の処理の流れを示すフローチャートである。
【００３４】
ユーザーは、プレゼンテーション時等にリモコン等を操作して設定画像の投写指示を行う。生成部１３０は、受付部１１０からの情報に基づき、投写指示があったかどうかを判定し（ステップＳ１１）、投写指示があった場合、焼き付きを発生させない許容範囲（例えば、明るさの上限値および下限値等）を示す許容範囲データ１２３に基づき、明るさ補正用データ（例えば、テーブル、関数等）を生成する（ステップＳ１２）。
【００３５】
補正部１６０は、当該明るさ補正用データに基づき、第１の設定画像データ１２５に対して明るさ補正を行うことにより、第２の設定画像データを生成する（ステップＳ１３）。
【００３６】
図４は、第１の実施例における第１の設定画像データ１２５の輝度分布の一例を示す図である。また、図５は、第１の実施例における第２の設定画像データの輝度分布の一例を示す図である。
【００３７】
例えば、図４に示すように、第１の設定画像データ１２５を構成する画素の最大輝度値または最小輝度値が許容範囲外にある場合であっても、図５に示すように、第２の設定画像データの輝度分布は、第１の設定画像データ１２５の輝度分布が明るさ方向において全体的に縮小される補正が行われることにより、許容範囲内に収まっている。
【００３８】
投写部１９０は、補正部１６０からの第２の設定画像データに基づき、明るさの調整された設定画像を生成し、投写する（ステップＳ１４）。
【００３９】
以上のように、本実施例によれば、プロジェクター１００は、設定画像の投写指示時に、設定画像の明るさの範囲を、焼き付きを発生させない範囲に制限する明るさ補正を行うことにより、設定画像が長時間投写され得る状況であっても焼き付きの発生を防止することができる。
【００４０】
また、本実施例によれば、プロジェクター１００は、ユーザーの記憶指示に応じて投写中の画像を示す画像データ１２２を第１の設定画像データ１２５として記憶することができるため、ユーザーは、所望の画像を設定画像として使用することができる。これにより、プロジェクター１００は、ユーザーの使い勝手を向上させることができる。
【００４１】
（第２の実施例）
第１の実施例では、プロジェクター１００は、設定画像の投写指示時に、設定画像の明るさの範囲を、焼き付きを発生させない範囲に制限する明るさ補正を行ったが、記憶指示時に上述した明るさ補正を行ってもよい。また、第１の実施例では、許容範囲データ１２３が記憶部１２０に記憶されていたが、許容範囲データ１２３に基づく明るさ補正用データが記憶部に記憶されてもよい。次に、明るさ補正用データが記憶部に記憶され、記憶指示時に上述した明るさ補正を行うプロジェクターの機能ブロックについて説明する。
【００４２】
図６は、第２の実施例におけるプロジェクター１０１の機能ブロック図である。プロジェクター１０１は、受付部１１０と同様の受付部１１１と、記憶部１２０と同様の記憶部１２１と、記憶制御部１４０と同様の記憶制御部１４１と、補正部１６０と同様の補正部１６１と、画像入力部１７０と、投写部１９０を含んで構成されている。
【００４３】
記憶部１２１は、画像データ１２２、明るさ補正用データ１２４、第２の設定画像データ１２６を記憶しており、許容範囲データ１２３、第１の設定画像データ１２５を記憶しない点で記憶部１２０と異なっている。なお、プロジェクター１０１のハードウェア構成は上述したプロジェクター１００と同様であるため、説明を省略する。
【００４４】
次に、プロジェクター１０１における記憶指示時の処理の流れについて説明する。図７は、第２の実施例における記憶指示時の処理の流れを示すフローチャートである。
【００４５】
画像入力部１７０は、ＰＣ等から順次入力される画像信号を画像データ１２２として記憶部１２１に記憶する。投写部１９０は、補正部１６１からの画像データ１２２に基づき、画像を生成し、投写する（ステップＳ２１）。
【００４６】
ユーザーは、所望の画像が投写された状態で、当該画像を設定画像として使用するため、リモコン等を操作して投写中の画像の記憶指示を行う。補正部１６１は、受付部１１１からの情報に基づき、記憶指示があったかどうかを判定し（ステップＳ２２）、記憶指示があった場合、明るさ補正用データ１２４に基づき、投写中の画像を示す画像データ１２２に対して上述した明るさ補正を行うことにより、第２の設定画像データ１２６を生成し、記憶制御部１４１は、当該第２の設定画像データ１２６を記憶部１２１に記憶する（ステップＳ２３）。
【００４７】
プロジェクター１００は、終了指示があるかどうかを判定し（ステップＳ２４）、終了指示があるまでステップＳ２１〜Ｓ２４の処理を繰り返し実行する。
【００４８】
次に、プロジェクター１０１における設定画像の投写指示時の処理の流れについて説明する。図８は、第２の実施例における投写指示時の処理の流れを示すフローチャートである。
【００４９】
ユーザーは、プレゼンテーション時等にリモコン等を操作して設定画像の投写指示を行う。補正部１６１は、受付部１１１からの情報に基づき、投写指示があったかどうかを判定し（ステップＳ３１）、投写指示があった場合、第２の設定画像データ１２６を投写部１９０に出力し、投写部１９０は、当該第２の設定画像データ１２６に基づき、設定画像を生成し、投写する（ステップＳ３２）。
【００５０】
以上のように、本実施例によれば、プロジェクター１０１は、第１の実施例と同様の作用効果を奏することができる。特に、本実施例によれば、プロジェクター１０１は、第２の設定画像データ１２６の記憶時に、設定画像の明るさの範囲を、焼き付きを発生させない範囲に制限する明るさ補正を行うことにより、設定画像が長時間投写され得る状況であっても焼き付きの発生を防止することができる。
【００５１】
（第３の実施例）
上述した実施例では無条件で明るさ補正が行われているが、第１の設定画像データ１２５で表される画像の明るさが焼き付き発生条件を満たしている場合のみ明るさ補正が行われてもよい。次に、投写時に判定を行うことにより、画像の明るさが焼き付き発生条件を満たしている場合のみ明るさ補正を行う機能を有するプロジェクターについて説明する。
【００５２】
図９は、第３の実施例におけるプロジェクター１０２の機能ブロック図である。プロジェクター１０２は、受付部１１０と、記憶部１２０と、生成部１３０と、記憶制御部１４０と、画像の明るさが焼き付き発生条件を満たしているかどうかを判定する判定部１５０と、補正部１６０と同様の補正部１６２と、画像入力部１７０と、投写部１９０を含んで構成されている。なお、プロジェクター１０２のハードウェア構成は上述したプロジェクター１００と同様であるため、説明を省略する。
【００５３】
全体的な処理の流れは第１の実施例と同様であるため、説明を省略する。投写指示があった場合、判定部１５０は、第１の設定画像データ１２５と、焼き付きを発生させない明るさの範囲を示す許容範囲データ１２３に基づき、設定画像が焼き付き発生条件を満たしているかどうかを判定する。補正部１６２は、設定画像が焼き付き発生条件を満たしている場合に上述した明るさ補正を行い、設定画像が焼き付き発生条件を満たしていない場合に上述した明るさ補正を行わない。すなわち、補正部１６２は、設定画像が焼き付き発生条件を満たしている場合に第２の設定画像データを投写部１９０に出力し、設定画像が焼き付き発生条件を満たしていない場合に第１の設定画像データ１２５を投写部１９０に出力する。
【００５４】
また、投写部１９０は、設定画像の投写指示に応じて、補正部１６２からの設定画像データ（第１の設定画像データ１２５または第２の設定画像データ）に基づき、設定画像を生成し、投写する。
【００５５】
以上のように、本実施例によれば、プロジェクター１０２は、第１の実施例と同様の作用効果を奏することができる。特に、本実施例によれば、プロジェクター１０２は、焼き付き発生条件を満たしている場合のみ明るさ補正を行うことにより、処理負荷を軽減し、より効率的に画像の調整を行うことができる。また、プロジェクター１０２は、焼き付き発生条件を満たしていない場合は明るさ補正を行わないことにより、設定画像の明るさを変化させないで済む。
【００５６】
（第４の実施例）
次に、記憶時に判定を行うことにより、画像の明るさが焼き付き発生条件を満たしている場合のみ明るさ補正を行う機能を有するプロジェクターについて説明する。
【００５７】
図１０は、第４の実施例におけるプロジェクター１０３の機能ブロック図である。プロジェクター１０３は、受付部１１１と、記憶部１２９と、記憶制御部１４２と、画像の明るさが焼き付き発生条件を満たしているかどうかを判定する判定部１５１と、補正部１６１と同様の補正部１６３と、画像入力部１７０と、投写部１９０を含んで構成されている。なお、プロジェクター１０３のハードウェア構成は上述したプロジェクター１０１と同様であるため、説明を省略する。
【００５８】
全体的な処理の流れは第２の実施例と同様であるため、詳細な説明を省略する。画像の記憶指示があった場合、記憶制御部１４２は、投写中の画像を示す画像データ１２２を第１の設定画像データ１２５として記憶部１２９に記憶し、判定部１５１は、第１の設定画像データ１２５と、許容範囲データ１２３に基づき、当該画像が焼き付き発生条件を満たしているかどうかを判定する。
【００５９】
補正部１６３は、当該画像が焼き付き発生条件を満たしている場合に上述した明るさ補正を行い、当該画像が焼き付き発生条件を満たしていない場合に当該明るさ補正を行わない。記憶制御部１４２は、当該明るさ補正が行われることによって生成された第２の設定画像データ１２６を記憶部１２９に記憶する。
【００６０】
設定画像の投写指示があった場合、補正部１６３は、第２の設定画像データ１２６が記憶されている場合は第２の設定画像データ１２６を投写部１９０に出力し、第２の設定画像データ１２６が記憶されていない場合は第１の設定画像データ１２５を投写部１９０に出力する。
【００６１】
また、投写部１９０は、設定画像の投写指示に応じて、補正部１６３からの設定画像データ（第１の設定画像データ１２５または第２の設定画像データ１２６）に基づき、設定画像を生成し、投写する。
【００６２】
以上のように、本実施例によれば、プロジェクター１０３は、第２の実施例と同様の作用効果を奏することができる。特に、本実施例によれば、プロジェクター１０３は、焼き付き発生条件を満たしている場合のみ明るさ補正を行うことにより、処理負荷を軽減し、より効率的に画像の調整を行うことができる。また、プロジェクター１０３は、焼き付き発生条件を満たしていない場合は明るさ補正を行わないことにより、設定画像の明るさを変化させないで済む。
【００６３】
（その他の実施例）
なお、本発明の適用は上述した実施例に限定されず、種々の変形が可能である。例えば、受付部は、焼き付きを発生させない範囲の指定指示を受け付け、生成部は、当該指定指示に応じて許容範囲データ１２３や明るさ補正用データ１２４を生成してもよい。
【００６４】
これによれば、プロジェクターは、焼き付きを発生させない範囲の指定指示に応じて明るさ補正用データを生成することができるため、ユーザーは、焼き付き防止を優先するか、設定画像の明るさ等の正確さを優先するか自分で選択して設定することができる。また、これによれば、ユーザーは、外光等の影響や設定画像の内容等に応じて指定指示を行うこともできる。これらにより、プロジェクターは、ユーザーの使い勝手を向上させることができる。
【００６５】
また、プロジェクターは、ユーザーによる記憶指示によらずに設定画像データを記憶してもよい。例えば、プロジェクターは、所定日時になったという条件、所定時間が経過したという条件、所定の状況になったという条件等が満たされた場合の投写中の画像を示す設定画像データを記憶してもよい。
【００６６】
また、記憶部に複数種の設定画像データが記憶され、補正部は、ユーザーの選択に応じた設定画像データを使用してもよい。また、明るさ補正方法は、上述した図４および図５に示す輝度分布を明るさ方向において全体的に縮小する補正方法に限定されず、種々の補正方法を採用可能である。
【００６７】
また、プロジェクター１００〜１０３の有するコンピューターは、情報記憶媒体に記憶されたプログラムを読み取って補正部１６０〜１６３等として機能してもよい。このような情報記憶媒体としては、例えば、ＣＤ−ＲＯＭ、ＤＶＤ−ＲＯＭ、ＲＯＭ、ＲＡＭ、ＨＤＤ等を適用できる。
【００６８】
また、プロジェクター１００〜１０３の機能を複数の装置（例えば、ＰＣとプロジェクター等）に分散してもよい。
【符号の説明】
【００６９】
１００〜１０３  プロジェクター、１１０、１１１  受付部、１２０、１２１、１２９  記憶部、１２２  画像データ、１２３  許容範囲データ、１２４  明るさ補正用データ、１２５  第１の設定画像データ、１２６  第２の設定画像データ、１３０  生成部、１４０〜１４２  記憶制御部、１５０、１５１  判定部、１６０〜１６３  補正部、１７０  画像入力部、１９０  投写部
【図１】
2011137966.tif 000003
【図２】
2011137966.tif 000004
【図３】
2011137966.tif 000005
【図４】
2011137966.tif 000006
【図５】
2011137966.tif 000007
【図６】
2011137966.tif 000008
【図７】
2011137966.tif 000009
【図８】
2011137966.tif 000010
【図９】
2011137966.tif 000011
【図１０】
2011137966.tif 000012